(57)【要約】      （修正有）【課題】配管の流路断面積を縮小せず、しかも、管継手の構造が複雑とならないようにした逆止弁を提供する。【解決手段】第１ハウジング１と第２ハウジング２とを螺合して組み立てられ、内部に弁体３が弁バネ４を介して前記第１ハウジング１の弁座１ｄに対して接離可能とされて入口側通路１ｃから流入する流体圧力によって開弁するが逆流する流体圧力によって閉弁するように弁室１ｅ内に収納された逆止弁であって、前記第１ハウジング１の一端側外周面の雄ネジ部１ｂ及び第２ハウジング２の他端側外周面の第２雄ネジ部２ｃを利用して、前記第１ハウジング１を上流側とし、第２ハウジング２を下流側として、それぞれ管継手により配管の途中に挿入接続可能とした。【選択図】図１
0003136824.tif 000002
【実用新案登録請求の範囲】
【請求項１】
第１ハウジングと第２ハウジングとを螺合して組み立てられ、内部に弁体が弁バネを介して前記第１ハウジングの弁座に対して接離可能とされて入口側通路から流入する流体圧力によって開弁するが逆流する流体圧力によって閉弁するように弁室内に収納された逆止弁であって、前記第１ハウジングの一端側外周面の雄ネジ部及び第２ハウジングの他端側外周面の第２雄ネジ部を利用して、前記第１ハウジングを上流側とし、第２ハウジングを下流側として、それぞれ管継手により配管の途中に挿入接続可能としたことを特徴とする逆止弁。
【請求項２】
外周面に第１レンチグリップ部を有し、この第１レンチグリップ部より一端側の外周面に雄ネジ部を有し、この一端側の内周面に入口側通路を有し、この入口側通路の奥側に弁座及び弁室を有し、他端側の内周面に前記入口側通路よりも大径の雌ネジ孔部を有する第１ハウジングと、
外周面に第２レンチグリップ部を有し、この第２レンチグリップ部より一端側の外周面に前記第１ハウジングの雌ネジ孔部に螺合する第１雄ネジ部を有し、前記第２レンチグリップ部より他端側の外周面に第２雄ネジ部を有し、他端側の内周面に出口側通路を有し、この出口側通路の奥となる一端側に前記出口側通路より大径のバネ座及び弁体案内部を有する第２ハウジングと、
前記第１ハウジングの弁座に対して接離可能とされて前記入口側通路から流入する流体圧力によって開弁するが逆流する流体圧力によって閉弁するように前記第１ハウジングの弁室内に収納される弁体と、
前記第２ハウジングのバネ座と前記弁体との間に挿入され、前記弁体を閉弁方向に付勢する弁バネとを備えた逆止弁であって、
前記第１ハウジングの一端側外周面の雄ネジ部及び第２ハウジングの他端側外周面の第２雄ネジ部を利用して、前記第１ハウジングを上流側とし、第２ハウジングを下流側として、それぞれ配管途中に挿入接続可能としたことを特徴とする逆止弁。
【請求項３】
前記第１ハウジングの弁座は、前記入口側通路の奥側において、一端側から他端側へ拡開する円錐テーパー面で構成されていることを特徴とする請求項１又は２に記載の逆止弁。
【請求項４】
前記弁体は、前記弁座に当接する環状シールパッキングを備えていることを特徴とする請求項１〜３の何れかに記載の逆止弁。
【請求項５】
前記第１ハウジングの入口側通路と第２ハウジングの出口側通路とは、同一口径とされていることを特徴とする請求項１〜４の何れか１項に記載の逆止弁。
【請求項６】
前記第１ハウジングの入口側通路と第２ハウジングの出口側通路とは、当該逆止弁が挿入接続される配管の口径と同一口径とされていることを特徴とする請求項１〜４の何れか１項に記載の逆止弁。
【請求項７】
前記第１ハウジングの入口側通路の内面及び第２ハウジングの出口側通路の内面には、配管の挿入孔と位置決め段部とフェルール案内用テーパー面とが形成され、環状クサビ構造のフェルールと締付ナットとからなる管継手によって配管途中に挿入接続可能とされていることを特徴とする請求項１〜６の何れかに記載の逆止弁。
【考案の詳細な説明】
【技術分野】
【０００１】
本考案は、配管途中に挿入接続される逆止弁に関するものである。
【背景技術】
【０００２】
配管途中に挿入接続される逆止弁として、既に特許文献１が公知である。
【特許文献１】実開昭６３−１９８８７１号公報
【考案の開示】
【考案が解決しようとする課題】
【０００３】
上記特許文献１は、逆止弁を構成する本体とスリーブとに形成された入口及び出口に雌ネジ孔部が形成されており、これを配管途中に接続するには、一端側の外周面に前記逆止弁接続用の雄ネジ部を持ち、他端側には配管接続用ネジ部を外周面又は内周面に設けた管継手を必要とする。このような管継手は、逆止弁接続側の端部内径が逆止弁の入口及び出口の内径よりも小さくなる。
また、このような管継手は、配管接続側の端部内径が配管の内径よりも小さくなるか、或いは、配管の外径よりも大きくする必要がある。
【０００４】
前者の場合、管継手の内径は、配管の内径よりも小さくなり、配管の流路断面積を縮小させてしまうという問題点がある。
後者の場合、管継手の内径に大小の段差を生じることになり、管継手の構造が複雑となるという問題点がある。
本考案は、従来の上記問題点に鑑みて提案されたものであって、その目的とするところは、配管の流路断面積を縮小せず、しかも、管継手の構造が複雑とならないようにした逆止弁を提供することにある。
【課題を解決するための手段】
【０００５】
前記目的を達成するために本考案は、第１ハウジングと第２ハウジングとを螺合して組み立てられ、内部に弁体が弁バネを介して前記第１ハウジングの弁座に対して接離可能とされて入口側通路から流入する流体圧力によって開弁するが逆流する流体圧力によって閉弁するように弁室内に収納された逆止弁であって、前記第１ハウジングの一端側外周面の雄ネジ部及び第２ハウジングの他端側外周面の第２雄ネジ部を利用して、前記第１ハウジングを上流側とし、第２ハウジングを下流側として、それぞれ管継手により配管の途中に挿入接続可能としたことを特徴としている。
【０００６】
また、本考案は、外周面に第１レンチグリップ部を有し、この第１レンチグリップ部より一端側の外周面に雄ネジ部を有し、この一端側の内周面に入口側通路を有し、この入口側通路の奥側に弁座及び弁室を有し、他端側の内周面に前記入口側通路よりも大径の雌ネジ孔部を有する第１ハウジングと、
外周面に第２レンチグリップ部を有し、この第２レンチグリップ部より一端側の外周面に前記第１ハウジングの雌ネジ孔部に螺合する第１雄ネジ部を有し、前記第２レンチグリップ部より他端側の外周面に第２雄ネジ部を有し、他端側の内周面に出口側通路を有し、この出口側通路の奥となる一端側に前記出口側通路より大径のバネ座及び弁体案内部を有する第２ハウジングと、
前記第１ハウジングの弁座に対して接離可能とされて前記入口側通路から流入する流体圧力によって開弁するが逆流する流体圧力によって閉弁するように前記第１ハウジングの弁室内に収納される弁体と、
前記第２ハウジングのバネ座と前記弁体との間に挿入され、前記弁体を閉弁方向に付勢する弁バネとを備えた逆止弁であって、
前記第１ハウジングの一端側外周面の雄ネジ部及び第２ハウジングの他端側外周面の第２雄ネジ部を利用して、前記第１ハウジングを上流側とし、第２ハウジングを下流側として、それぞれ配管途中に挿入接続可能としたことを特徴としている。
【０００７】
上記構成によれば、構造の簡単な締付ナット構造の管継手を使用して配管途中に挿入接続することができ、しかも、締付ナット構造の管継手は、締付ナット部分を配管の外周面に嵌合することができ、配管の流路断面積を縮小することもない。
前記第１ハウジングの弁座は、前記入口側通路の奥側において、一端側から他端側へ拡開する円錐テーパー面で構成されていることが好ましい。
また、前記弁体は、前記弁座に当接する環状シールパッキングを備えていることが好ましい。
【０００８】
さらに、前記第１ハウジングの入口側通路と第２ハウジングの出口側通路とは、同一口径とされていることが好ましい。
また、前記第１ハウジングの入口側通路と第２ハウジングの出口側通路とは、当該逆止弁が挿入接続される配管の口径と同一口径とされていてもよい。
また、前記第１ハウジングの入口側通路の内面及び第２ハウジングの出口側通路の内面には、配管の挿入孔と位置決め段部とフェルール案内用テーパー面とが形成され、環状クサビ構造のフェルールと締付ナットとからなる管継手によって配管途中に挿入接続可能とされていてもよい。
【考案の効果】
【０００９】
本考案によれば、配管の流路断面積を縮小せず、しかも、管継手の構造が複雑とならないようにした逆止弁を提供することができる。
【考案を実施するための最良の形態】
【００１０】
以下、本考案に係る逆止弁の実施の形態を図面の記載に基づいて説明する。
図１は、本考案に係る逆止弁の縦断側面図であって、１は第１ハウジング、２は第２ハウジング、３は弁体、４は弁バネを示しており、これらは、ステンレス材で構成されているが、これに制約されるものではない。
第１ハウジング１は、外周面に第１レンチグリップ部１ａを有し、この第１レンチグリップ部１ａより一端側の外周面に雄ネジ部１ｂを有し、この一端側の内周面に円筒状の入口側通路１ｃを有し、この入口側通路１ｃの奥側に弁座１ｄ及び弁室１ｅを有し、他端側の内周面に前記入口側通路１ｃよりも大径の雌ネジ孔部１ｆを有する。
【００１１】
前記第１ハウジング１の弁座１ｄは、前記入口側通路１ｃの奥側において、一端側から他端側へ拡開する円錐テーパー面で構成されている。
第２ハウジング２は、外周面に第２レンチグリップ部２ａを有し、この第２レンチグリップ部２ａより一端側の外周面に前記第１ハウジング１の雌ネジ孔部１ｆに螺合する第１雄ネジ部２ｂを有し、前記第２レンチグリップ部２ａより他端側の外周面に第２雄ネジ部２ｃを有し、他端側の内周面に円筒状の出口側通路２ｄを有し、この出口側通路２ｄの奥となる一端側に前記出口側通路２ｄより大径のバネ座２ｅ及び弁体案内部２ｆを有する。
【００１２】
前記第１ハウジング１の入口側通路１ｃと第２ハウジング２の出口側通路２ｄとは、同一口径とされている。また、前記第１ハウジング１の入口側通路１ｃと第２ハウジング２の出口側通路２ｄとは、この逆止弁が挿入接続される配管の口径と同一口径とされるのが好ましい。
第１ハウジング１の全長と第２ハウジング２の全長とは同一とされ、共にＬ１とされている。また、第１ハウジング１の雄ネジ部１ｂの長さと第２ハウジング２の第２雄ネジ部２ｃの長さとは同一とされ、共にＬ２とされている。さらに、第１ハウジング１の第１レンチグリップ部１ａの長さと第２ハウジング２の第２レンチグリップ部２ａの長さとは同一とされ、共にＬ３とされている。そして、第１ハウジング１の第１レンチグリップ部１ａから他端（図１の右端側端部）までの長さと第２ハウジング２の第２レンチグリップ部２ａから一端（図１の左端側端部）までの長さとは同一とされ、共にＬ４とされている。
【００１３】
弁体３は、前記第１ハウジング１の弁座１ｄに対して接離可能とされて前記入口側通路１ｃから流入する流体圧力によって開弁するが逆流する流体圧力によって閉弁するように前記第１ハウジング１の弁室１ｅ内に収納されている。弁体３は、前記弁座１ｄに当接する環状シールパッキング５を備えている。弁体３は、図１、図２に示すように、第１ハウジング１の入口側通路１ａ内径より少し小径の円盤状先端部３ａと、その後部に一体に形成された大径の環状フランジ部３ｂと、この環状フランジ部３ｂから後方に一体に延設された複数の脚部３ｃと、この脚部３ｃの後部に一体に形成された環状案内部３ｄと、この環状案内部３ｄ内に形成された環状バネ受け部３ｅと、前記複数の脚部３ｃ相互間に形成された窓孔３ｆと、前記円盤状先端部３ａの環状フランジ部３ｂ側に近接して形成された環状溝３ｇとを設けた構造からなっている。複数の脚部３ｃは、周方向等間隔（例えば、４等分配置など）で設けられている。また、環状溝３ｇには、シールパッキング５が嵌着されている。
【００１４】
弁バネ４は、前記第２ハウジング２のバネ座２ｅと前記弁体３の環状バネ受け部３ｅとの間に挿入され、前記弁体３を閉弁方向に付勢するコイルスプリングで構成されている。この弁バネ４のバネ係数は小さいものとされ、弁体４の閉動作を補助して逆止弁としての流体圧力による開閉動作を円滑に行うように構成されている。
本考案の逆止弁は、前記各部材を主要構成部材とするもので、前記第１ハウジング１の一端側外周面の雄ネジ部１ｂ及び第２ハウジング２の他端側外周面の第２雄ネジ部２ｃを利用して、前記第１ハウジング１を上流側とし、第２ハウジング２を下流側として、図３に示すように、それぞれ管継手６により配管７の途中に挿入接続可能としている。
【００１５】
管継手６は、図４に示すように、前記逆止弁の第１ハウジング１の雄ネジ部１ｂ又は第２ハウジング２の第２雄ネジ部２ｃに外嵌螺合される締付ナット６ａと、この締付ナット６ａに組み合わせて使用される前側・中間・後側の３個のフェルール６ｂ、６ｃ、６ｄとからなるものを使用するのが好ましい。
締付ナット６ａは、前記逆止弁の第１ハウジング１の雄ネジ部１ｂ又は第２ハウジング２の第２雄ネジ部２ｃに外嵌螺合される雌ネジ孔部６ａ１が一端側内面に形成され、他端に環状鍔部６ａ２が内径方向に張り出して形成されており、この環状鍔部６ａ２の内径は配管７の外径より少し大きくされ、前記雌ネジ孔部６ａ１の奥部と環状鍔部６ａ２との間に３個のフェルール６ｂ〜６ｄを収容案内する環状凹部６ａ３が形成され、この環状凹部６ａ３の奥部で環状鍔部６ａ２の内面にフェルール押圧面６ａ４が形成されている。
【００１６】
前側フェルール６ｂは、配管７の外径より少し大きくされた円筒状内周面６ｂ１と、前側に向けて縮径する円錐状外周面６ｂ２とを備えた環状クサビ形状とされ、後端面が前側に向けて凹入するテーパー面６ｂ３とされている。
中間フェルール６ｃは、配管７の外径より少し大きくされた円筒状内周面６ｃ１と、前後方向に対称な傾斜面とされた前面６ｃ２及び後面６ｃ３と、前記締付ナット６ａの環状凹部６ａ３の内径より少し小径とされた円筒状外周面６ｃ４とを備え断面台形環状形状からなり、図５に示すように、周方向一部に切り目６ｃ５が形成されて割り環状とされている。
【００１７】
後側フェルール６ｄは、配管７の外径より少し大きくされた円筒状内周面６ｄ１と、前記締付ナット６ａの環状凹部６ａ３の内径より少し小径とされた円筒状外周面６ｄ２と、前記中間フェルール６ｃの後面６ｃ３に当接する傾斜面とされた前面６ｄ３と、前記締付ナット６ａのフェルール押圧面６ａ４に当接する後面６ｄ４とを備えた環状とされている。
前記逆止弁の第１ハウジング１の入口側通路１ｃの内面及び第２ハウジング２の出口側通路２ｄの内面には、図４に示すように、配管７の挿入孔１ｇ、２ｇと位置決め段部１ｈ、２ｈとフェルール案内用テーパー面１ｉ、２ｉとが形成される。
【００１８】
本考案の実施形態は以上からなり、上記構成によれば、締付ナット構造の管継手６を使用して本考案の逆止弁を配管７の途中に挿入接続することができ、しかも、締付ナット構造の管継手６は、締付ナット６ａ部分を配管７の外周面に嵌合することができ、配管７の流路断面積を縮小することもない。
本考案は、以上の実施形態からなるが、本考案は、これらの実施形態にのみ制約されるものではなく、実用新案登録請求の範囲に記載した事項の範囲内で自由に変更して実施することができる。例えば、管継手６は、中間フェルール６ｃを省略して実施してもよい。また、後側フェルール６ｄは締付ナット６ａの環状鍔部６ａ２に一体的に設けてもよい。
【図面の簡単な説明】
【００１９】
【図１】本考案に係る逆止弁の縦断側面図である。
【図２】弁体の斜視図である。
【図３】本考案の逆止弁と配管とを接続した状態の管継手部分の縦断側面図である。
【図４】図３の分解状態の縦断側面図である。
【図５】割り環状とした中間フェルールの斜視図である。
【符号の説明】
【００２０】
１    第１ハウジング
２    第２ハウジング
３    弁体
４    弁バネ
５    シールパッキング
６    管継手
７    配管
【図１】
0003136824.tif 000003
【図２】
0003136824.tif 000004
【図３】
0003136824.tif 000005
【図４】
0003136824.tif 000006
【図５】
0003136824.tif 000007